(57)【要約】【課題】従来よりも、木本資源の有効利用が図れると共に、育成に適した土壌状態を短期間に実現することが可能な生育基盤材及び緑化工法を提供する。【解決手段】伐採物、抜根等の木本資源からなる建設現場発生木本１ａを油圧ショベル１１を用いて木質破砕機１２に搬送し（行程（ａ））、木質破砕機１２を用いて建設現場発生木本１ａを破砕して木質チップ１ｂを製造し（行程（ｂ））、搬送機１３を用いて木質チップ１ｂを炭化装置１４まで搬送して炭化処理し（行程（ｃ））、得られた炭化木質チップ１ｃに、土壌改良剤、混合土砂、種子、肥料、接合材、養生材等からなる副資材２−１〜２−ｎを予め決められた重量比等の割合で混合し（行程（ｄ））、この混合物１ｃ、２−１〜２−ｎを攪拌する（行程（ｅ））、各行程を経て得られる生育基盤材１ｄの構成を有している。【選択図】図１
2009138429.tif 000002
【特許請求の範囲】
【請求項１】
緑化用に使用される生育基盤材であって、建設現場発生木本を破砕した木質チップに炭化処理を施した炭化木質チップが混入している、ことを特徴とする生育基盤材。
【請求項２】
土壌改良剤と、混合土砂、種子、肥料、接合材及び養生材のうちのいずれか１つ以上のものとが混入している、ことを特徴とする請求項１に記載の生育基盤材。
【請求項３】
請求項１又は請求項２に記載の生育基盤材が混入している吹付材料を緑化対象の法面又は平面に吹付ける、ことを特徴とする緑化工法。
【請求項４】
前記吹付材料が、水が付加されて攪拌されたものからなると共に、圧縮空気又は圧送ポンプを用いて管状搬送路中を搬送されて圧縮空気と共に吹付ノズルから吹出す、ことを特徴とする請求項３に記載の緑化工法。
【請求項５】
緑化対象の建設現場で発生した建設現場発生木本を使用して得られる炭化木本チップが、前記生育基盤材に混入していることを特徴とする請求項３又は請求項４に記載の緑化工法。
【発明の詳細な説明】
【技術分野】
【０００１】
本発明は、建設現場等の緑化に使用される生育基盤材及びこれを用いた緑化工法に関する。
【背景技術】
【０００２】
従来、この種の工法として、例えば以下のものがある。即ち、（ａ）比較的肥沃で土壌硬度が低い盛土面及び平面に種子を吹き付ける種子吹付工法、（ｂ）土壌養分が少なく土壌硬度が２３ｍｍ以上の切土面に、ラス金網を併用して種子と客土を吹付ける客土吹付工法（植生基材吹付、土砂系）、（ｃ）土壌養分がなく土壌硬度が２７ｍｍ以上の切土面に、ラス金網を併用して種子と有機質系基盤材を吹付ける植生基材吹付工法（植生基材吹付、有機系）、（ｄ）土壌養分がなく土壌硬度が３０ｍｍ以上であって、強風化された若しくは亀裂を有する岩盤及びこれらのない岩盤に、種子と客土を植生マットに注入する植生マット工法、等がある。
【０００３】
なお、近年、木質チップを混入して吹付けるチップバック植生工法も知られている（例えば、非特許文献１参照。）。この工法は、廃棄物を「自然に返す」という考えに基づき、建設現場から発生するスキ取り土や不要木材（伐根・枝・葉）を植生基盤として再利用し、法面又は平面に吹付けて法面又は平面の「安定と緑化」を図るものである。伐採物等に２次破砕を施し細かくすることによって、従来の植生基材吹付工と同様に施工が可能となる。施工条件は、発注官庁が規定するものに従う。
【非特許文献１】インターネット〈URL：http://www.ryokukakenkyukai.com/chipback01.html〉
【発明の開示】
【発明が解決しようとする課題】
【０００４】
しかしながら、従来のチップバック植生工法では、育成に適した土壌状態の実現、木本資源の有効利用等が十分にできないという問題を有していた。具体的には、木質チップには、発芽若しくは生育阻害物質が含まれているため保肥能力が低く、栄養不足による発芽阻害、窒素飢餓等を起こし、生育阻害を起こす等の問題が指摘されている。そのため、種子量を多くしたり、高価な土壌改良材を混入したりする必要が生じていた。
【０００５】
また、木質チップを一般の機械で吹付ける場合は、破砕後の粒度調整を行わなくてはならなく、使用しきれない余剰のチップ材が生じていた。粒度調整を行わない場合は、特殊な機械で吹付ける必要があり、汎用性のある工法ではない。さらに、木質チップを堆肥化して利用する場合は、堆肥化に長期間を要し（３ヶ月〜６ヶ月）、処理費が嵩み、現実的な工法として適さない。
【０００６】
以上の現状に鑑み、本発明の目的は、従来よりも、木本資源の有効利用が図れると共に、育成に適した土壌状態を短期間に実現することが可能な生育基盤材及び緑化工法を提供する。
【課題を解決するための手段】
【０００７】
上記の課題を解決すべく、本発明は以下の構成を提供する。
請求項１に係る発明は、緑化用に使用される生育基盤材であって、建設現場発生木本を破砕した木質チップに炭化処理を施した炭化木質チップが混入している、ことを特徴とする。
【０００８】
請求項２に係る発明は、請求項１に記載の生育基盤材において、土壌改良剤と、混合土砂、種子、肥料、接合材及び養生材のうちのいずれか１つ以上のものとが混入している、ことを特徴とする。
【０００９】
請求項３に係る発明は、請求項１又は請求項２に記載の生育基盤材が混入している吹付材料を緑化対象の法面又は平面に吹付ける、ことを特徴とする。
【００１０】
請求項４に係る発明は、請求項３に記載の緑化工法において、前記吹付材料が、水が付加されて攪拌されたものからなると共に、圧縮空気又は圧送ポンプを用いて管状搬送路中を搬送されて圧縮空気と共に吹付ノズルから吹出す、ことを特徴とする。
【００１１】
請求項５に係る発明は、請求項３又は請求項５に記載の緑化工法において、緑化対象の建設現場で発生した建設現場発生木本を使用して得られる炭化木本チップが、前記生育基盤材に混入していることを特徴とする。
【発明の効果】
【００１２】
請求項１に係る発明によれば、緑化用に使用される生育基盤材に、建設現場発生木本を破砕した木質チップに炭化処理を施した炭化木質チップが混入しているため、従来よりも、木本資源の有効利用が図れると共に、育成に適した土壌状態を短期間に実現することが可能な生育基盤材を実現することができる。
【００１３】
請求項２に係る発明によれば、上記請求項１の効果に加えて、土壌改良剤と、混合土砂、種子、肥料、接合材及び養生材のうちのいずれか１つ以上のものとが混入しているため、建設現場の土壌条件等に適合することができる。
【００１４】
請求項３に係る発明によれば、請求項１又は請求項２に記載の生育基盤材が混入している吹付材料を緑化対象の法面又は平面に吹付けるため、従来よりも、木本資源の有効利用が図れると共に、育成に適した土壌状態を短期間に実現することが可能な緑化工法を実現することができる。
【００１５】
請求項４に係る発明によれば、上記請求項３の効果に加えて、前記吹付材料が、水が付加されて攪拌されたものからなると共に、圧縮空気又は圧送ポンプを用いて管状搬送路中を搬送されて圧縮空気と共に吹付ノズルから吹出すため、特殊機械を必要とせず土壌への定着性を高めつつ操作性よく施工することができる。
【００１６】
請求項５に係る発明によれば、上記請求項３又は請求項４の効果に加えて、緑化対象の建設現場で発生した建設現場発生木本を使用して得られる炭化木本チップが、前記生育基盤材に混入しているため、建設現場の植生の再現性を高めることができる。
【発明を実施するための最良の形態】
【００１７】
以下、実施例を示した図面を参照しつつ本発明の実施の形態について説明する。
図１は、本発明による生育基盤材の製造工程について示す模式的説明図である。生育基盤材１ｄは、伐採物等から炭化木質チップ１ｃを得るまでの炭化チップ製造工程（ａ）〜（ｃ）と、炭化木質チップ１ｃに副資材２−１〜２−ｎを混合して生育基盤材１ｄを得る混合行程（ｄ）、（ｅ）とを経て製造される。
【００１８】
炭化チップ製造工程では、まず、建設現場（以下、「建設現場」は、工事現場、その他の同様な場所を含むものとする。）で生じた伐採物、抜根等の木本資源からなる部材（以下、建設現場発生木本という。）１ａを例えば油圧ショベル１１を用いて木質破砕機１２に搬送し（行程（ａ））、次に、通常の木質破砕機１２を用いて建設現場発生木本１ａを破砕して木質チップ１ｂを製造し（行程（ｂ））、そして、搬送機１３を用いて木質チップ１ｂを炭化装置１４まで搬送して炭化処理し、炭化木質チップ１ｃを得る（行程（ｃ））。ここで、炭化装置１４は、木質チップ１ｂを炭化させるものであり、例えば、燃料を用いて加熱して炉内で炭化させる方式のもの、燃料を用いて発電する発電機と電気炉とからなるもの等が使用可能である。
【００１９】
混合行程では、炭化チップ製造工程で得られた炭化木質チップ１ｃに、土壌改良剤等からなる副資材２−１〜２−ｎを予め決められた重量比等の割合で混合し（行程（ｄ））、次に、この混合物１ｃ、２−１〜２−ｎを攪拌して生育基盤材１ｄを得る（行程（ｅ））。ここで、副資材２−１〜２−ｎは、上記の土壌改良剤（２−１）以外に、例えば、上記の建設現場でスキとって得られた現場スキ取り土、商業的に市販されている購入土、その他の同様の土からなる混合土砂（２−２）、種子（２−３）、肥料（２−４）、高分子化合物、フライアッシュ、セメント等を有する接合材（２−５）、接合材（２−５）が有効に機能するようにする目的等に使用される養生材（２−６）等を含むのでもよい。
【００２０】
また、土壌改良剤（２−１）として、公知の、バーク堆肥、ピートモス等の有機質系もの、パーライト、バーミキュライト等の無機質系のもの、さらにこれらに微生物を混入したもの、その他のものが使用可能である。種子（２−３）は、外来種子によって代用されるのでも、現場スキ取り土中の種子によって代用されるのでも、その他のものによって代用されるのでもよい。炭化木質チップ１ｃは、チップのみならず粉状のものをも含むものとする。
【００２１】
ここで、生育基盤材１ｄは、副資材２−１〜２−ｎとして養生材（２−６）を含む湿式系のものと、含まない乾式系とに分類される。湿式系の生育基盤材１ｄは、例えば、圧送ポンプを用いて水分を含む土砂として吹付ける用途等で使用される。また、乾式系の生育基盤材１ｄは、例えば、圧縮空気を用いてチップ、粉体等として吹き付ける用途等で使用される。ただし、湿式系又は乾式系の生育基盤材１ｄに含まれる副資材は、緑化対象の現場に応じて選択可能である。さらに、各構成要素１ｃ、２−１〜２−ｎ相互の混合比も、同様に緑化対象の現場に応じて調節可能である。
【００２２】
図２は、本発明による生育基盤材を用いる緑化工法についての模式的説明図である。緑化工法では、湿式系の生育基盤材１ｄを用いる場合、行程（ｅ）によって得られた生育基盤材１ｄが搬送機１５を介して攪拌機１６に搬送され水３と共に攪拌されると共に再度破砕されて吹付材料が形成され、圧送ポンプ１７を介して作業上取り扱い可能な寸法のホース等の管状搬送路（以下、単にホースという。）１８内に圧送され（行程（ｆ））、ホース１８を介して圧送された吹付材料が吹付ノズル１９の操作に応じて緑化対象の切土、盛土、平面等の緑化対象の法面又は平面に吹付けられる（行程（ｇ））。
【００２３】
なお、乾式系の生育基盤材１ｄを用いる場合、上記の水３は使用されず、行程（ｆ）で攪拌されて再度破砕された生育基盤材１ｄが吹付材料として圧縮空気と共にホース１８内に圧送され、行程（ｇ）でホース１８を介して圧縮空気と共に圧送された吹付材料が吹付ノズル１９の操作に応じて緑化対象の法面又は平面に吹付けられる。建設現場発生木本としては、好ましくは、緑化対象の建設現場から得られたものが主に使用される。
【図面の簡単な説明】
【００２４】
【図１】本発明による生育基盤材の製造工程について示す模式的説明図である。
【図２】本発明による生育基盤材を用いる緑化工法についての模式的説明図である。
【符号の説明】
【００２５】
１ａ  建設現場発生木本
１ｂ  木質チップ
１ｃ  炭化木質チップ
１ｄ  生育基盤材
２−１〜２−ｎ  副資材（土壌改良剤、混合土砂、種子、肥料、接合材、養生材等）
１１  油圧ショベル
１２  木質破砕機
１３、１５  搬送機
１４  炭化装置
１６  攪拌機
１７  圧送ポンプ
１８  管状搬送路（ホース）
１９  吹付ノズル
【図１】
2009138429.tif 000003
【図２】
2009138429.tif 000004